(57)【特許請求の範囲】
【請求項１】
通信ネットワーク上に分散配置されたＷｅｂページに含まれるリンクからの遷移先に関する情報を配信する情報配信システムであって、
前記各Ｗｅｂページ上に表示されるリンクの内容及び座標位置に関する情報を表示情報として収集する表示情報収集部と、
前記各リンクからの遷移先についての情報を関連情報として取得する関連情報取得部と、
前記表示情報収集部が収集した前記表示情報と、当該表示情報に基づいて前記関連情報取得部が取得した関連情報とを関連付けて蓄積する関連情報蓄積部と、
前記関連情報蓄積部に蓄積された関連情報を集計して分析する分析部と、
前記分析部による分析結果を、前記関連情報に含めて前記通信ネットワークを通じて配信する関連情報配信部と、
前記通信ネットワークに接続され、前記Ｗｅｂページを閲覧可能な情報端末と
を備え、
前記情報端末は、
前記Ｗｅｂページを閲覧するとともに、閲覧に係るＷｅｂページに含まれるリンクを選択可能に表示するブラウザ部と、
前記ブラウザ部における選択操作と連動し、前記ブラウザ部に表示されているリンクに対応した前記関連情報を前記関連情報配信部から取得して表示する関連情報表示部と、
前記関連情報表示部において、当該関連情報に係る遷移先に関する評価又は当該評価に対する評価を評価情報として入力する評価情報入力部と
を備え、
前記分析部は、前記関連情報の分析に際し、当該関連情報に係る前記評価情報の集計結果を算出し、その算出結果を前記分析結果に含める
ことを特徴とする情報配信システム。
【請求項２】
前記評価情報入力部は、
前記遷移先に関する評価を一次評価として入力する一次評価入力部と、
他者が入力した一次評価に対する評価を、二次評価として入力する二次評価入力部と
を備え、
前記分析部は、前記関連情報の分析に際し、前記二次評価の集計結果に基づく前記一次評価のランキングを、前記評価情報の集計結果として算出する
ことを特徴とする請求項１に記載の情報配信システム。
【請求項３】
前記分析部は、
前記一次評価入力部及び前記二次評価入力部に対して入力された前記一次評価及び前記二次評価に基づいて、加点単位及び減点単位を算出する加減速度算出部と、
前記加点単位及び前記減点単位を算出する周期、及び各周期において算出した時点からの経過時間を測定する計時部と、
前記計時部が測定した経過時間に基づいて、前記加減速度算出部が算出した前記加点単位から前記減点単位を減算して、前記周期毎に前記一次評価を更新する評価更新部と
を備えることを特徴とする請求項２に記載の情報配信システム。
【請求項４】
通信ネットワーク上に分散配置されたＷｅｂページに含まれるリンクからの遷移先に関する情報を配信する情報配信方法であって、
前記通信ネットワーク上に配置された表示情報収集部において、前記各Ｗｅｂページ上に表示されるリンクの内容及び座標位置に関する情報を表示情報として収集する表示情報収集ステップと、
前記通信ネットワーク上に配置された関連情報取得部において、前記各リンクからの遷移先についての情報を関連情報として取得する関連情報取得ステップと、
前記表示情報収集部が収集した前記表示情報と、当該表示情報に基づいて前記関連情報取得部が取得した関連情報とを関連付けて関連情報蓄積部に蓄積する関連情報蓄積ステップと、
前記関連情報蓄積部に蓄積された関連情報を集計して分析する分析ステップと、
前記通信ネットワークに接続された情報端末に対し、前記分析部による分析結果を、前記関連情報に含めて前記通信ネットワークを通じて配信する関連情報配信ステップと、
前記情報端末において前記Ｗｅｂページ及び前記分析結果を閲覧する閲覧ステップと
を含み、
前記閲覧ステップは、
前記情報端末のブラウザ部において、前記Ｗｅｂページを閲覧するとともに、閲覧に係るＷｅｂページに含まれるリンクを選択可能に表示する表示ステップと、
前記ブラウザ部における選択操作と連動し、前記ブラウザ部に表示されているリンクに対応した前記関連情報を前記関連情報配信部から取得して、関連情報表示部に表示する関連情報表示ステップと、
前記関連情報表示部において、当該関連情報に係る遷移先に関する評価又は当該評価に対する評価を評価情報として入力する評価情報入力ステップと
を含み、
前記分析ステップでは、前記関連情報の分析に際し、当該関連情報に係る前記評価情報の集計結果を算出する
ことを特徴とする情報配信方法。
【請求項５】
前記評価情報入力ステップは、
前記遷移先に関する評価を一次評価として入力する一次評価入力ステップと、
他者が入力した一次評価に対する評価を、二次評価として入力する二次評価入力ステップと
を含み、
前記分析ステップでは、前記関連情報の分析に際し、前記二次評価の集計結果に基づく前記一次評価のランキングを、前記評価情報の集計結果として算出する
ことを特徴とする請求項４に記載の情報配信方法。
【請求項６】
前記分析ステップでは、
前記一次評価入力ステップ及び前記二次評価入力ステップで入力された前記一次評価及び前記二次評価に基づいて、加点単位及び減点単位を算出する加減速度算出ステップと、
前記加点単位及び前記減点単位を算出する周期、及び各周期において算出した時点からの経過時間を測定する計時ステップと、
前記計時ステップで測定した経過時間に基づいて、前記加減速度算出ステップで算出した前記加点単位から前記減点単位を減算して、前記周期毎に前記一次評価を更新する評価更新ステップと
を含むことを特徴とする請求項５に記載の情報配信方法。
【請求項７】
通信ネットワーク上に分散配置されたＷｅｂページに含まれるリンクからの遷移先に関する情報を、前記通信ネットワークを通じて配信サーバーから配信する情報配信プログラムであって、前記配信サーバーに、
前記通信ネットワーク上に配置された表示情報収集部において、前記各Ｗｅｂページ上に表示されるリンクの内容及び座標位置に関する情報を表示情報として収集する表示情報収集ステップと、
前記通信ネットワーク上に配置された関連情報取得部において、前記各リンクからの遷移先についての情報を関連情報として取得する関連情報取得ステップと、
前記表示情報収集部が収集した前記表示情報と、当該表示情報に基づいて前記関連情報取得部が取得した関連情報とを関連付けて関連情報蓄積部に蓄積する関連情報蓄積ステップと、
前記関連情報蓄積部に蓄積された関連情報を集計して分析する分析ステップと、
前記通信ネットワークに接続された情報端末に対し、前記分析部による分析結果を、前記関連情報に含めて前記通信ネットワークを通じて配信する関連情報配信ステップと、
前記情報端末において前記Ｗｅｂページ及び前記分析結果を閲覧する閲覧ステップと
を含む処理を実行させ、
前記閲覧ステップは、
前記情報端末のブラウザ部において、前記Ｗｅｂページを閲覧するとともに、閲覧に係るＷｅｂページに含まれるリンクを選択可能に表示する表示ステップと、
前記ブラウザ部における選択操作と連動し、前記ブラウザ部に表示されているリンクに対応した前記関連情報を前記関連情報配信部から取得して、関連情報表示部に表示する関連情報表示ステップと、
前記関連情報表示部において、当該関連情報に係る遷移先に関する評価又は当該評価に対する評価を評価情報として入力する評価情報入力ステップと
を含み、
前記分析ステップでは、前記関連情報の分析に際し、当該関連情報に係る前記評価情報の集計結果を算出する
ことを特徴とする情報配信プログラム。
【請求項８】
前記評価情報入力ステップは、
前記遷移先に関する評価を一次評価として入力する一次評価入力ステップと、
他者が入力した一次評価に対する評価を、二次評価として入力する二次評価入力ステップと
を含み、
前記分析ステップでは、前記関連情報の分析に際し、前記二次評価の集計結果に基づく前記一次評価のランキングを、前記評価情報の集計結果として算出する
ことを特徴とする請求項７に記載の情報配信プログラム。
【請求項９】
前記分析ステップでは、
前記一次評価入力ステップ及び前記二次評価入力ステップで入力された前記一次評価及び前記二次評価に基づいて、加点単位及び減点単位を算出する加減速度算出ステップと、
前記加点単位及び前記減点単位を算出する周期、及び各周期において算出した時点からの経過時間を測定する計時ステップと、
前記計時ステップで測定した経過時間に基づいて、前記加減速度算出ステップで算出した前記加点単位から前記減点単位を減算して、前記周期毎に前記一次評価を更新する評価更新ステップと
を含むことを特徴とする請求項８に記載の情報配信プログラム。
【発明の詳細な説明】
【技術分野】
【０００１】
本発明は、Ｗｅｂページに含まれるリンクからの遷移先に関する情報を配信する情報配信システム、情報配信方法及び情報配信プログラムに関する。
【背景技術】
【０００２】
従来、ウェブブラウザには、ＨＴＭＬ（Hyper Text Markup Language）のマークアップでＷｅｂページ中に記述されたリンクによって、他のＷｅｂページへ遷移する機能がある。このリンク機能は、他のＷｅｂページへ遷移するためのハイパーリンクと呼ばれるタグがＷｅｂページ中のテキストや画像に設けられており、通常それらのリンクの表示位置にポインタを合わせてマウスをクリック操作することで、そのリンク先へ遷移して、リンク先のＷｅｂページが画面上に表示されるものである。そして、このようなリンクを辿ってのページ遷移に際しては、表示されている現在のWebページ上で、所望のリンクを選択してクリック等の操作を行うこととなる（例えば、特許文献１参照。）。【０００３】
ところで、リンクを辿って遷移した先のＷｅｂページに掲載された情報は、閲覧者にとって有用な情報であることが望ましいものの、必ずしも有用な情報ばかりがあるわけではなく、中には不要な情報も含まれていることが多い。そのため、リンク先のＷｅｂページの概要が遷移する前に予め分かれば、無駄な遷移操作を省略することができる。
【先行技術文献】
【特許文献】
【０００４】
【特許文献１】特開２００３−２４２１１７号公報
【発明の概要】
【発明が解決しようとする課題】
【０００５】
しかしながら、特許文献１に開示された技術では、当該リンク先のＷｅｂページに掲載された情報が閲覧者にとって有用な情報か否かを、遷移元のＷｅｂページ上では判別することができない。そのため、閲覧者は有用な情報に辿り着くまで、マウスのクリック操作を多数にわたって行い、リンク先の新しいＷｅｂページを画面上に表示させたり、画面上に配置された「戻る」ボタンをクリック操作して、遷移元のＷｅｂページを画面上に再度表示させたりする必要があり、情報収集のための利便性が損なわれていた。【０００６】
そこで、本発明は以上の点に鑑みてなされたもので、遷移元のＷｅｂページを閲覧している時点で、ページ内のリンク先に関する評価を含む関連情報を得て、遷移前に予め遷移先のＷｅｂページの価値を判断することができる情報配信システム、情報配信方法及び情報配信プログラムを提供することをその課題とする。
【課題を解決するための手段】
【０００７】
上記課題を解決するために、本発明は、通信ネットワーク上に分散配置されたＷｅｂページに含まれるリンクからの遷移先に関する情報を配信する情報配信システムであって、各Ｗｅｂページ上に表示されるリンクの内容及び座標位置に関する情報を表示情報として収集する表示情報収集部と、各リンクからの遷移先についての情報を関連情報として取得する関連情報取得部と、表示情報収集部が収集した表示情報と、当該表示情報に基づいて関連情報取得部が取得した関連情報とを関連付けて蓄積する関連情報蓄積部と、関連情報蓄積部に蓄積された関連情報を集計して分析する分析部と、分析部による分析結果を関連情報に含めて配信する関連情報配信部と、通信ネットワークに接続され、Ｗｅｂページにアクセスし、閲覧可能な情報端末とを備え、情報端末は、Ｗｅｂページを閲覧するとともに、閲覧に係るＷｅｂページに含まれるリンクを表示するブラウザ部と、ブラウザ部と連動し、ブラウザ部に表示されているリンクに対応した関連情報を関連情報配信部から取得して表示する関連情報表示部と、関連情報表示部において、当該関連情報に係る遷移先に関する評価又は当該評価に対する評価を評価情報として入力する評価情報入力部とを備え、分析部は、関連情報の分析に際し、前記評価情報の集計結果を算出する。
【０００８】
また、他の発明は、通信ネットワーク上に分散配置されたＷｅｂページに含まれるリンクからの遷移先に関する情報を配信する情報配信方法であって、
（１）通信ネットワーク上に配置された表示情報収集部において、各Ｗｅｂページ上に表示されるリンクの内容及び座標位置に関する情報を表示情報として収集する表示情報収集ステップと、
（２）通信ネットワーク上に配置された関連情報取得部において、各リンクからの遷移先についての情報を関連情報として取得する関連情報取得ステップと、
（３）表示情報収集部が収集した表示情報と、当該表示情報に基づいて関連情報取得部が取得した関連情報とを関連付けて関連情報蓄積部に蓄積する関連情報蓄積ステップと、
（４）関連情報蓄積部に蓄積された関連情報を集計して分析する分析ステップと、
（５）通信ネットワークに接続された情報端末に対し、分析部による分析結果を関連情報に含めて通信ネットワークを通じて配信する関連情報配信ステップと、
（６）情報端末においてＷｅｂページ及び分析結果を閲覧する閲覧ステップとを含み、
閲覧ステップは、情報端末のブラウザ部において、Ｗｅｂページを閲覧するとともに、閲覧に係るＷｅｂページに含まれるリンクを選択可能に表示する表示ステップと、ブラウザ部における選択操作と連動し、ブラウザ部に表示されているリンクに対応した関連情報を関連情報配信部から取得して、関連情報表示部に表示する関連情報表示ステップと、関連情報表示部において、当該関連情報に係る遷移先に関する評価又は当該評価に対する評価を評価情報として入力する評価情報入力ステップとを含み、分析ステップでは、関連情報の分析に際し、当該関連情報に係る評価情報の集計結果を算出する。
【０００９】
上記発明において、「表示情報」とは、リンク元側のＷｅｂページ上に表示されるリンクに係る情報であり、具体的に、この「リンク」とは、Ｗｅｂページ上に選択可能に表示され、選択操作によりリンク先へ遷移するためのマークアップであって、例えばＵＲＬやＩＰアドレスなどのネットワーク上のアドレス情報、及びその表示方法を含むものである。また、その「内容」とは、上記アドレス情報のほか、リンク元のＷｅｂページ上に表示されるテキストや画像などが含まれ、「座標位置」とは、リンクに係るテキストや画像などが表示されるリンク元のＷｅｂページ上における位置、大きさ、範囲を示すものである。【００１０】
また、上記発明において、「ブラウザ部」は、インターネット上のＷｅｂページを閲覧するとともに、閲覧に係るＷｅｂページに含まれるリンクや送信ボタンなどの表示情報をクリックやタッチなどの操作による選択が可能とする機能を備えていればよく、デスクトップアプリケーションやスマートフォンアプリのように、情報端末上のマルチウィンドウの一つとして表示される形態の他、Ｗｅｂ上のアプリが直接、その情報端末のＯＳに対してネイティブアプリとして動作するようなＯＳとブラウザが一体化した次世代モバイルＯＳであってもよい。【００１１】
上記発明において「関連情報」とは、各リンクからの遷移先となるＷｅｂページに関する情報であり、遷移先のＷｅｂページ全体やそこに含まれるコンテンツ（記事や映像・動画等）の概要の他、そのＷｅｂやそこに含まれるコンテンツに対して投稿され集計された評価情報が含まれる。この「評価情報」とは、遷移先のＷｅｂページの閲覧者が入力する情報であり、そのコンテンツに対するコメントや口コミ情報などの評価、及びそのような評価に対する他者の評価（賛成・反対、ランキング付け等）が含まれる。また、この関連情報の集計や、分析としては、コメント数のカウントや、分類分け（カテゴリーや、投稿時間帯、投稿者の属性など）、ランキング付けなどが含まれる。【００１２】
また、評価情報は、ポイントや仮想通貨（電子マネー）などで表記することができ、このポイント数は、コメントやそれに対する賛否である一次評価又は二次評価の価値を定める数値であり、この商品やサービスと交換する際の価値基準を定める価値情報として機能する。すなわち、このポイントは、貯めることによりそのポイント数に応じた価格の商品と交換できたり、所定の価格を有するサービスの提供を受けることができ、これによりコメントが書き込まれた商品やサービスの広告宣伝料の一部が、コメントを書き込んだユーザーにキックバック（還元）されることとなる。【００１３】
このような本発明によれば、遷移元のＷｅｂページを閲覧している時点で、ページ内のリンク先に関する評価を含む関連情報を得ることができ、遷移前に予め遷移先のＷｅｂページの価値判断をすることができ、適切な遷移先を選択することができ、無駄なページ遷移を回避することができる。また、遷移先の評価情報には、その遷移先に含まれるコンテンツに関する直接的な評価と、その評価に対する第三者による評価が含まれ、これらの評価を集計し分析した上で掲載することから、信頼性の高い評価情報を提供することができる。【００１４】
上記発明において、評価情報入力部は、遷移先に関する評価を一次評価として入力する一次評価入力部と、他者が入力した一次評価に対する評価を、二次評価として入力する二次評価入力部とを備え、分析部は、関連情報の分析に際し、二次評価の集計結果に基づく一次評価のランキングを、評価情報の集計結果として算出することが好ましい。【００１５】
この場合には、コンテンツ関する直接的な一次評価を、その一次評価に対する第三者による二次評価によってランキング付けすることから、悪意のあるコメントなど、不適切な一次評価を淘汰することができ、より信頼性の高い情報を提供することができる。【００１６】
上記発明において、分析部は、一次評価入力部及び二次評価入力部に対して入力された一次評価及び二次評価に基づいて、加点単位及び減点単位を算出する加減速度算出部と、加点単位及び減点単位を算出する周期、及び各周期において算出した時点からの経過時間を測定する計時部と、計時部が測定した経過時間に基づいて、加減速度算出部が算出した加点単位から減点単位を減算して、周期毎に一次評価を更新する評価更新部とを備えることが好ましい。【００１７】
この場合には、周期的に評価情報を改定することができるとともに、時間の経過とともに評価を変化させることができる。この結果、例えば、短時間にコメントやそれに対するレスポンスが集中しているような場合には、そのＷｅｂページやコメントの評価を高くし、一方で、長時間放置されているようなＷｅｂページやそのコメントの評価を下げるなど、時間経過を加味して、適正に評価することができる。【００１８】
また、上述した本発明に係る装置及び方法は、所定の言語で記述されたプログラムをコンピューター上で実行することにより実現することができる。すなわち、本発明は、通信ネットワーク上に分散配置されたＷｅｂページに含まれるリンクからの遷移先に関する情報を、通信ネットワークを通じて配信サーバーから配信する情報配信プログラムであって、配信サーバーに、
（１）通信ネットワーク上に配置された表示情報収集部において、各Ｗｅｂページ上に表示されるリンクの内容及び座標位置に関する情報を表示情報として収集する表示情報収集ステップと、
（２）通信ネットワーク上に配置された関連情報取得部において、各リンクからの遷移先についての情報を関連情報として取得する関連情報取得ステップと、
（３）表示情報収集部が収集した表示情報と、当該表示情報に基づいて関連情報取得部が取得した関連情報とを関連付けて関連情報蓄積部に蓄積する関連情報蓄積ステップと、
（４）関連情報蓄積部に蓄積された関連情報を集計して分析する分析ステップと、
（５）通信ネットワークに接続された情報端末に対し、分析部による分析結果を、通信ネットワークを通じて配信する関連情報配信ステップと、
（６）情報端末においてＷｅｂページ及び分析結果を閲覧する閲覧ステップと
を含む処理を実行させ、
閲覧ステップは、情報端末のブラウザ部において、Ｗｅｂページを閲覧するとともに、閲覧に係るＷｅｂページに含まれる表示情報を選択可能に表示する表示ステップと、ブラウザ部における選択操作と連動し、ブラウザ部に表示されている表示情報に対応した関連情報を関連情報配信部から取得して、関連情報表示部に表示する関連情報表示ステップと、関連情報表示部において、当該関連情報に係る遷移先に関する評価又は当該評価に対する評価を評価情報として入力する評価情報入力ステップとを含み、分析ステップでは、関連情報の分析に際し、当該関連情報に係る評価情報の集計結果を算出し、その算出結果を分析結果に含める。【００１９】
このようなプログラムを、ユーザー端末やＷｅｂサーバー等のコンピューターやＩＣチップにインストールし、ＣＰＵ上で実行することにより、上述した各機能を有する関連情報配信システムを容易に構築して、音、関連情報配信方法を実施することができる。このプログラムは、例えば、通信回線を通じて配布することが可能であり、また、汎用コンピューターで読み取り可能な記録媒体に記録することにより、スタンドアローンの計算機上で動作するパッケージアプリケーションとして譲渡することができる。記録媒体として、具体的には、フレキシブルディスクやカセットテープ等の磁気記録媒体、若しくはＣＤ−ＲＯＭやＤＶＤ−ＲＯＭ等の光ディスクの他、ＲＡＭカードなど、種々の記録媒体に記録することができる。そして、このプログラムを記録したコンピューター読み取り可能な記録媒体によれば、汎用のコンピューターや専用コンピューターを用いて、上述した、関連情報配信システム及び関連情報配信方法を簡便に実施することが可能となるとともに、プログラムの保存、運搬及びインストールを容易に行うことができる。
【発明の効果】
【００２０】
以上説明したように本発明によれば、遷移元のＷｅｂページを閲覧している時点で、ページ内のリンク先に関する評価を含む関連情報を得て、遷移前に予め遷移先のＷｅｂページの価値を判断することが可能なため、適切な遷移先を選択することができ、無駄なページ遷移を回避することができる。また、遷移先の評価情報には、その遷移先に含まれるコンテンツに関する直接的な評価と、その評価に対する第三者による評価が含まれ、これらの評価を集計し分析した上で掲載することから、信頼性の高い評価情報を提供することができる。
【図面の簡単な説明】
【００２１】
【図１】実施形態に係る関連情報配信システムの全体構成を示す概念図である。
【図２】実施形態に係るユーザー端末の内部構成を示すブロック図である。
【図３】実施形態に係る関連情報配信サーバーの内部構成を示すブロック図である。
【図４】実施形態に係る表示部に表示される関連情報画面を示す説明図である。
【図５】実施形態に係る各蓄積部に蓄積されるデータ構成を示す説明図である。
【図６】実施形態に係る関連情報配信方法を示すフローチャート図である。
【図７】実施形態に係る関連情報配信方法を示すフローチャート図である。
【図８】実施形態に係る映像観察プログラムを記録したコンピューター読み取り可能な記録媒体を示す説明図である。
【発明を実施するための形態】
【００２２】
（関連情報配信システムの構成）
本発明の実施形態について、図面を参照しつつ説明する。図１は、本実施形態に係る関連情報配信システムの概略構成を示すブロック図である。
【００２３】
図１に示すように、本実施形態に係る関連情報配信システムは、通信ネットワーク５上に分散配置されたＷｅｂページに含まれるリンクからの遷移先に関する情報を配信するシステムであって、Ｗｅｂページを配信する複数のＷｅｂサーバー４と、Ｗｅｂページを閲覧するユーザーが所持する複数のユーザー端末１(１ａ〜１ｃ)と、広告情報を提供する広告サーバー３と、Ｗｅｂページ上のリンクからの遷移先に関する情報を配信する関連情報配信サーバー２とを備えている。
【００２４】
通信ネットワーク５は、通信プロトコルＴＣＰ／ＩＰを用いたＩＰ網であって、種々の通信回線（電話回線やＩＳＤＮ回線、ＡＤＳＬ回線、光回線などの公衆回線、専用回線、無線通信網）を相互に接続して構築される分散型の通信ネットワークである。このＩＰ網には、１０ＢＡＳＥ−Ｔや１００ＢＡＳＥ−ＴＸ等によるイントラネット（企業内ネットワーク）や家庭内ネットワークなどのＬＡＮなども含まれる。
【００２５】
Ｗｅｂサーバー４は、ＷＷＷ（Ｗｏｒｌｄ  Ｗｉｄｅ  Ｗｅｂ）等のドキュメントシステムにおいて、ＨＴＭＬ（Ｈｙｐｅｒ  Ｔｅｘｔ  Ｍａｒｋｕｐ  Ｌａｎｇｕａｇｅ）ファイルや画像ファイル、音楽ファイルなどの情報送信を行うサーバーコンピューター或いはその機能を持ったソフトウェアであり、ＨＴＭＬ文書や画像などの情報を蓄積しておき、Ｗｅｂブラウザなどのクライアントソフトウェアの要求に応じて、インターネットなどの通信ネットワーク５を通じて、これらの情報を送信する。
【００２６】
本実施形態において、Ｗｅｂサーバー４は、各社のサーバー装置が通信ネットワーク５に接続されており、複数のユーザー端末１に対して、各Ｗｅｂサーバーが蓄積するＷｅｂページを配信している。なお、本実施形態において、「Ｗｅｂページ」とは、Ｗｅｂサーバー４から配信されたＷｅｂデータを意味するものとし、他のサーバー装置、ユーザー端末から送信される各種データは他の文言を用いるものとする。
【００２７】
関連情報配信サーバー２は、複数のユーザー端末１に対し、ユーザー端末１上において表示されたＷｅｂページに含まれるリンクからの遷移先に関する情報（関連情報と称する。）を提供するサーバー装置である。この関連情報配信サーバー２は、ＷＷＷ等のドキュメントシステムにおいて、ＨＴＭＬファイルや画像ファイル、音楽ファイルなどの情報送信を行うサーバーコンピューター或いはその機能を持ったソフトウェアで実現され、ＨＴＭＬ文書や画像などの情報を蓄積しておき、サーバー装置上で実行されるＷｅｂブラウザなどのアプリケーションの要求に応じて、関連情報の配信を行う。
【００２８】
ここで「関連情報」とは、各リンクからの遷移先となるＷｅｂページに関する情報であり、遷移先のＷｅｂページ全体やそこに含まれるコンテンツ（記事や映像・動画等）の概要の他、そのＷｅｂやそこに含まれるコンテンツに対して投稿され集計された評価情報、及び関連情報の集計や、分析した結果が含まれる。この「評価情報」は、遷移先のＷｅｂページの閲覧者が入力する情報であり、そのコンテンツに対するコメントや口コミ情報などの一次評価と、一次評価に対する他者の評価である二次評価（賛成・反対、ランキング付け等）とが含まれる。また、この関連情報の集計や分析としては、コメント数のカウントや、分類分け（カテゴリーや、投稿時間帯、投稿者の属性など）、ランキング付けなどが含まれる。
【００２９】
また、関連情報配信サーバー２は、Ｗｅｂサーバー４内に蓄積された文書や画像などを周期的に取得し、自動的にデータベース化するクローラー機能を有しており、複数のＷｅｂサーバー４から各Ｗｅｂデータを取得している。なお、本実施形態では、関連情報配信サーバー２について、それぞれ単一のサーバー装置として表記するが、本発明はこれに限定されるものではなく、機能を分配された複数の装置からなるサーバー群により構成してもよい。
【００３０】
ユーザー端末１は、ＣＰＵを備えた演算処理装置であり、本実施形態では、通信機能を備え、ストリーミング配信やファイル転送を受信し、視聴するアプリケーションを実行する機能をも備えている。このユーザー端末１としては、パーソナルコンピュータ等の汎用コンピューターや、機能を特化させた専用装置により実現することができ、モバイルコンピューターやＰＤＡ（Ｐｅｒｓｏｎａｌ  Ｄｉｇｉｔａｌ  Ａｓｓｉｓｔａｎｃｅ）、携帯電話機が含まれる。本実施形態では、複数のユーザー端末１が通信ネットワーク５に接続されており、Ｗｅｂサーバー４から各種のＷｅｂページをダウンロードするとともに、関連情報配信サーバー２から当該Ｗｅｂページのリンク先に対する関連情報を取得するようになっている。
【００３１】
広告サーバーは、広告の掲載を依頼する広告主側が管理するサーバー装置であり、広告素材を関連情報配信サーバーに提供する。また、広告サーバーは、関連情報配信サーバーに提供した広告素材に関する入稿情報（広告データの識別子、有効期間等、広告の価格情報）についても合わせて提供する。なお、本実施形態において広告サーバー３は、単一のサーバー装置として表記するが、各広告会社が複数の装置からなるサーバー群により構成してもよい。
【００３２】
（各装置の内部構造）
次いで、上述したシステムを構成する各装置の内部構造について説明する。図２は、本実施形態に係るユーザー端末１の機能構成を示すブロック図であり、図３は、本実施形態に係る関連情報配信サーバー２の機能構成を示すブロック図である。また、図４は、本実施形態に係る表示部に表示される関連情報画面を示す説明図であり、図５は、本実施形態に係る各データベースのデータ構造を示す説明図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００３３】
（１）ユーザー端末１
先ずユーザー端末１の機能構成について説明する。図２に示すように、ユーザー端末１は通信インターフェース１１、メモリ１５と、アプリケーション実行部１２と、出力データ生成部１４と、出力インターフェース１３と、データ要求部１７と、操作デバイスインターフェース１６と、表示部１３ａとを備えている。
【００３４】
通信インターフェース１１は、通信ネットワーク５を通じて、データをパケットとして送受信するモジュールであり、この通信インターフェース１１を介して、Ｗｅｂページや関連情報の各データが受信され、Ｗｅｂページ要求や関連情報要求等が各サーバーに対して送信される。
【００３５】
メモリ１５は、ＯＳ（Ｏｐｅｒａｔｉｎｇ  Ｓｙｓｔｅｍ）や各種のアプリケーション用のプログラム、その他のデータ等などを記憶する記憶装置であり、このメモリ１５内には、本発明に係る関連情報配信プログラムが関連情報配信サーバー２からダウンロードされて蓄積されている。
【００３６】
アプリケーション実行部１２は、一般のＯＳやブラウザソフトなどのアプリケーションを実行するモジュールであり、通常はＣＰＵ等により実現される。また、アプリケーション実行部１２は、マウス１６ａ等の操作デバイスによって入力される操作信号に従って表示部１３ａ上を移動するマウスポインタ３０１を表示するポインタ制御部としての機能も果たしている。この操作信号は、操作デバイスインターフェース１６を介して取得される。
【００３７】
そして、このアプリケーション実行部１２には、ブラウザ部１２２と、関連情報表示部１２１とを備えている。ブラウザ部１２２は、ブラウザソフトを実行することによって構築され、Ｗｅｂサーバー内に蓄積されたＷｅｂページを閲覧可能に表示するためのモジュールであり、インターネットからＨＴＭＬ（ＨｙｐｅｒＴｅｘｔ  Ｍａｒｋｕｐ  Ｌａｎｇｕａｇｅ）ファイルや画像ファイルなどをダウンロードし、レイアウトを解析して表示・再生する。本実施形態では、図４に示すように、Ｗｅｂサーバー４から取得したＷｅｂページ３１０を表示するようになっている。なお、この発明において上記ブラウザ部１２２としては、インターネット上のＷｅｂページを閲覧するとともに、閲覧に係るＷｅｂページに含まれるリンクや送信ボタンなどの表示情報をクリックやタッチなどの操作による選択が可能とする機能を備えていればよく、デスクトップアプリケーションやスマートフォンアプリのように、情報端末上のマルチウィンドウの一つとして表示される形態の他、Ｗｅｂ上のアプリが直接、その情報端末のＯＳに対してネイティブアプリとして動作するようなＯＳとブラウザが一体化した次世代モバイルＯＳであってもよい。
【００３８】
関連情報表示部１２１は、ブラウザ部１２２と連動し、ブラウザ部１２２に表示されている表示情報に対応した関連情報を関連情報配信サーバー２から取得して表示するモジュールである。ここで、「表示情報」とは、リンク元側のＷｅｂページ上に表示されるリンクに係る情報であり、各Ｗｅｂページ上に表示されるリンクの内容及び座標位置に関する情報が含まれている。具体的に、この「リンク」とは、Ｗｅｂページ上に選択可能に表示され、選択操作によりリンク先へ遷移するためのマークアップであって、例えばＵＲＬやＩＰアドレスなどのネットワーク上のアドレス情報、及びその表示方法を含むものである。また、その「内容」とは、上記アドレス情報のほか、リンク元のＷｅｂページ上に表示されるテキストや画像などが含まれ、「座標位置」とは、リンクに係るテキストや画像などが表示されるリンク元のＷｅｂページ上における位置、大きさ、範囲を示すものである。
【００３９】
関連情報表示部１２１は、ブラウザ部１２２と連動してＷｅｂページ上のマウスポインタ３０１の位置を監視し、マウスポインタ３０１が所定のリンク３１１〜３１３上に重ね合わされるように位置すると、それをイベント発生として検出し、そのリンクの転送先についての関連情報を関連情報画面３２０上に表示させる。関連情報画面３２０は、図４に示すように、ブラウザ部１２２によって表示されたＷｅｂページ３１０内の所定領域（図４では、画面右側）に挿入されて表示されるようになっている。
【００４０】
例えば、テキストデータ上にリンク３１１があり、そのリンクからの遷移先が「デジタルカメラ○○○」についてＷｅｂページであるとき、イベント発生前は、関連情報画面３２０を非表示にしておき、イベントが発生した際、図４に示すように、遷移先の「デジタルカメラ○○○」の情報を関連情報画面３２０に表示させる。なお、図４に示す関連情報画面３２０は、既に他者からの評価が入力されて、当該評価情報やその分析結果が画面上に反映された画面を示している。
【００４１】
本実施形態では、テキスト部分のリンク３１１や画像部分のリンク３１２にマウスポインタ３０１が重ね合わされると、当該テキスト部分や画像部分のリンク先に関する関連情報が関連情報画面３２０に表示され、アドレスバーのＵＲＬ３１３にマウスポインタ３０１が重ね合わされると、現在表示されているＷｅｂページに関する関連情報が関連情報画面３２０に表示されるようになっている。
【００４２】
次いで、画面上に表示される関連情報画面３２０について説明する。関連情報画面３２０には、図４に示すように、遷移先となるリンクのアドレス情報表示画面３２２と、遷移先の情報に対して他者からの評価を示す評価情報欄３２３と、評価を行ったユーザーについての属性（性別、国籍等）を集計して分析した分析結果を示す分析結果表示欄３２１と、当該関連情報に係る遷移先に関する一次評価（コメント）又は一次評価に対する二次評価（賛成を示す情報）を評価情報として入力する評価情報入力部として機能する評価情報入力欄３２４と、関連情報画面３２０内の言語を切り替える言語切替欄３２５とが表示される。
【００４３】
具体的に、評価情報欄３２３には、遷移先に関するコメントが一次評価欄３２３ａに表示され、その一次表示欄３２３ａの横には、入力したコメントに対する二次評価を表示する二次評価欄３２３ｂが表示される。ここで二次評価欄３２３ｂには、一次評価のコメントに対して賛成（ポジティブ）した人のユーザー数が表示される。なお、本実施形態において評価情報欄３２３は、ユーザー数が大きい一次評価が上位となるようにランキング順に表示されるようになっている。
【００４４】
評価情報入力欄３２４は、遷移先に関する評価をコメント（一次評価）として入力を受け付ける一次評価入力部として機能するコメント入力欄３２４ａと、他者が入力したコメントに対する評価を、二次評価として入力を受け付ける二次評価入力部として機能する二次評価入力アイコン３２４ｂが表示される。
【００４５】
なお、コメント入力時には、ユーザー属性入力画面３２４ｃが併せて関連情報画面に表示され、コメントしたユーザーの属性を特定可能となっている。具体的には、コメント入力欄３２４ａにコメントを入力して登録ボタンをクリック等すると、そのコメントが表示されたユーザー属性入力画面３２４ｃが表示される。このユーザー属性入力画面３２４ｃには、国籍、性別、若しくは年代などのラジオボタンが表示されており、ラジオボタンのいずれかを選択した後に登録ボタンをクリックすることで、ユーザーの属性情報と併せてコメント情報が関連情報配信サーバー２へ送信される。なお、このユーザー属性入力画面３２４ｃは、他者が運用するソーシャルネットワークシステム等と連動可能であり、ユーザー属性入力画面３２４ｃ上には他システムへの投稿アイコン３２４ｅが表示されており、このアイコンをクリックすることで、他者システムに対しても当該コメントを投稿可能となっている。
【００４６】
二次評価入力部としての二次評価入力アイコン３２４ｂは、他者からのコメントが入力された後に表示され、二次評価入力アイコン３２４ｂが押下されると、コメントに対して賛成を示す信号が入力されて二次評価欄３２３ｂ内のユーザー数がカウントされる。なお、本実施形態において、ユーザー属性入力画面３２４ｃは、関連情報画面３２０上に表示させたが、例えば、別画面にポップアップ表示させてもよい。また、図４では、広告情報が表示されていないが、例えば、この関連情報画面３２０上に広告情報を表示させてもよい。
【００４７】
分析結果表示欄３２１は、評価情報入力欄３２４から評価を行ったユーザーに関する分析結果を表示させる画面であり、図４に示すように、例えば、入力されたコメントに対する二次評価の割合を円グラフで表示させたり、性別や国籍の割合などの分類分けを棒グラフで表示させたりする。なお、この分析結果表示欄に表示させる分析結果は、一次評価としてコメントをしたユーザーに対する分類分けであってもよく、所定のコメントに対して二次評価を行ったユーザーに対する分類分けであってもよい。また、この分析結果による表示内容はユーザー操作で変更可能であるものとする。
【００４８】
また、言語切替欄３２５は、関連情報画面３２０の表示を各国の言語に変更する手段であり、例えば、図４に示すように、複数の国言語をラジオボタンで表示し、選択された言語に応じて画面上のテキストを変更させる。なお、図４では、３カ国の言語のみ記載されているが、全世界の言語が表示可能であるものであり、また、言語切替欄３２５は、例えば、現在表示されているＷｅｂページ３１０の言語に対応して関連情報画面３２０を同じ言語に自動で変更してもよい。
【００４９】
また、ユーザー端末１は、ユーザーインターフェースに関するモジュールとして、操作デバイスインターフェース１６を備えている。操作デバイスインターフェース１６は、マウスやキーボード等の操作デバイスが接続され、その操作信号が入出力されるモジュールである。アプリケーション実行部１２と、マウス１６ａとによって、ユーザーは、マウスポインタを操作したり、Ｗｅｂページを表示させるためのキーワードを入力したりすることができる。
【００５０】
そして、アプリケーション実行部１２、及び操作デバイスインターフェース１６により入力された閲覧者の操作信号は、操作通知として関連情報配信サーバー２に送信される。具体的に操作信号は、表示されているＷｅｂページのアドレス、イベントが発生した領域を特定する座標位置、ユーザーを特定するためのユーザーＩＤ（或いはユーザー端末１の端末ＩＤ）が送信される。また、評価情報入力欄３２４で入力された情報（コメント入力、ポジティブアイコンの押下信号）についても関連情報配信サーバー２に送信される。
【００５１】
出力データ生成部１４は、アプリケーション実行部１２で読み出されたマルチメディアコンテンツデータを映像信号及び音声信号に変換し、表示部１３ａやスピーカーで出力可能な信号を生成するモジュールである。出力インターフェース１３は、映像及び音声の出力信号を、表示部１３ａ及びスピーカーからそれぞれ出力させるモジュールである。表示部１３ａは、例えば、液晶ディスプレイ等の表示装置であり、動画表示ウィンドウやテキスト入力ウィンドウなどの複数の画面を合成して表示する。
【００５２】
さらに、ユーザー端末１は、データ要求に関するモジュールとして、データ要求部１７を備えている。データ要求部１７は、アプリケーション実行部１２において実行されるブラウザソフトに従って各データ要求を送信するモジュールであり、具体的には、Ｗｅｂページ（ＨＴＭＬ）を表示するための表示要求をＷｅｂサーバー４に送信し、関連情報を表示するための関連情報要求を関連情報配信サーバー２に送信する。
【００５３】
（２）関連情報配信サーバー２
次いで、関連情報配信サーバー２の機能構成について説明する。関連情報配信サーバー２は、単一のサーバー装置の他、Ｗｅｂサーバーやデータベースサーバーなど複数種のサーバー群から構成することができ、本実施形態では、図４に示すように、通信インターフェース２１と、制御部２２と、本システムに関する各種の情報を蓄積するデータベース群である各蓄積部２３〜２６とを備えている。通信インターフェース２１は、通信ネットワーク５を通じて、ユーザー端末１や各サーバー装置との間でデータの送受信を行う通信インターフェースである。
【００５４】
制御部２２は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、各部の動作制御、ユーザー操作に対する種々の処理を行っている。
【００５５】
そして、この制御部２２には、表示情報収集部２２１と、操作信号取得部２２２と、関連情報配信部２２３と、関連情報取得部２２４と、分析部２２６と、会員登録部２２５とが備えられている。
【００５６】
表示情報収集部２２１は、いわゆるクローラー機能を有する巡回ロボットサーバーであり、インターネット上のデータを巡回して、各Ｗｅｂページ上に表示されるリンクの内容及び座標位置に関する表示情報をダウンロードして収集し、表示情報蓄積部２３に蓄積する。具体的に、表示情報収集部２２１は、リンク先へ遷移するためのアドレス情報、及びリンク元のＷｅｂページ上に表示されるテキストや画像などを示す「リンク内容」と、リンクに係るテキストや画像などが表示されるリンク元のＷｅｂページ上における位置、大きさ、範囲を示す「座標位置」とを自動的に取得する。また、遷移元のアドレス情報についても取得する。なお、この表示情報収集部２２１は、既に取得したデータの更新も監視しており、既に取得済みのデータであっても、その内容が所定割合以上変更されているときには、再度ダウンロードする機能を備えている。
【００５７】
表示情報蓄積部２３は、表示情報収集部２２１が取得した各表示情報を蓄積するデータベースであり、図５に示すように、各リンクの記事情報を識別する記事ＩＤに、遷移元のアドレス情報と、各リンクについてのリンク内容とが関連付けて蓄積されている。この表示情報蓄積部２３に表示情報が蓄積されると、制御部２２は、遷移先に対する評価情報を蓄積するテーブルデータを関連情報蓄積部２４内に生成する。この評価情報を蓄積するテーブルデータは、図５に示すように、記事ＩＤ毎に生成され、入力された一次評価を識別する評価ＩＤに、一次評価情報と二次評価情報とが関連付けて記憶される。この一次評価情報には、遷移先についての評価を口コミ（コメント）したユーザーＩＤと、そのコメント内容、及び入力時刻情報が蓄積される。また、二次評価情報には、一次評価に対する二次評価を行ったユーザーＩＤと入力時刻情報が蓄積される。
【００５８】
操作信号取得部２２２は、ユーザー端末１から関連情報に関する操作信号を取得するモジュールである。本実施形態において、操作信号取得部２２２は、関連情報画面を要求する信号を取得するとともに、ユーザーが入力した評価情報を受け付けている。ここで、関連情報を要求する信号とは、Ｗｅｂページに含まれるリンクからの遷移先についての関連情報を要求する信号であり、この信号には、ユーザーＩＤと、Ｗｅｂページのアドレス情報と、イベントが発生した座標位置が含まれ、これらの情報は関連情報配信部２２３に入力される。
【００５９】
一方、受け付けた評価情報は、操作信号取得部２２２から関連情報取得部２２４に送信される。関連情報取得部２２４は、各リンクからの遷移先についての評価情報（一次評価若しくは二次評価）を関連情報の一部として取得するモジュールである。本実施形態では評価情報と併せて取得した記事ＩＤを参照して、関連情報蓄積部２４内のテーブルデータ内に評価情報を蓄積する。ここで、一次評価情報を取得した場合には、テーブルデータに新たな評価ＩＤを付加して、ユーザーＩＤ、コメント内容、及び入力時刻情報を記録する。一方、二次評価情報を取得した場合には、評価ＩＤも併せて取得しているため、評価ＩＤに基づいてテーブルデータの二次評価情報欄にユーザーＩＤを記録するとともに、入力時刻情報を入力する。
【００６０】
そして、表示情報蓄積部２３と関連情報蓄積部２４とは、記事ＩＤによって紐付けされており、これにより、表示情報収集部２２１が収集した表示情報と、表示情報に基づいて関連情報取得部２２４が取得した関連情報とが関連付けて蓄積されるようになっている。
【００６１】
関連情報配信部２２３は、ユーザー端末上で表示されているＷｅｂページ上にあるリンクについての関連情報をユーザー端末１に配信するモジュールである。本実施形態では、操作信号取得部２２２から関連情報を要求する信号を受け取ると、Ｗｅｂページのアドレス情報と、イベントが発生した座標位置に基づいて、表示情報蓄積部２３を参照して記事ＩＤを特定し、当該記事ＩＤに基づいて関連情報蓄積部２４から遷移先の関連情報を抽出してユーザー端末１に配信する。ここで送信される関連情報は、表示情報蓄積部２３に蓄積された遷移先のアドレス情報と、関連情報蓄積部２４に蓄積されている評価情報（一次評価及び二次評価）とが配信される。
【００６２】
また、関連情報配信部２２３では、関連情報を配信する際、分析部２２６によって周期的に算出される関連情報の集計や、分析した結果を評価情報とともにユーザー端末１に配信する。なお、関連情報蓄積部２４に評価情報が含まれていない場合には、評価情報、分析結果、及びランキングは含めずにアドレス情報や広告情報のみを配信する。
【００６３】
分析部２２６は、関連情報蓄積部２４に蓄積された関連情報を集計して分析するモジュールであり、本実施形態では、評価情報の集計や、分類分け（カテゴリーや、投稿時間帯、投稿者の属性など）、ランキング付けなどを算出する。具体的に、評価情報の集計とは、遷移先のＷｅｂページに対するコメント数の集計や、二次評価したユーザー数をそれぞれ集計したものであり、分析部２２６は、関連情報蓄積部２４を参照し、評価ＩＤ毎にコメント数及び賛成のユーザー数を加算して集計結果を算出する。
【００６４】
本実施形態において分類分けは、一次評価又は二次評価を行ったユーザーの属性（例えば、性別、年代、国籍など）に応じた割合を示したものであり、分析部２２６は、関連情報蓄積部２４内の一次評価情報及び二次評価情報内に含まれているユーザーＩＤに基づいて、ユーザー情報蓄積部２６を参照してユーザーの性別や国籍等を特定するとともに、評価ＩＤ毎に属性の割合を算出する。なお、分類分けとしては、性別や国籍の割合に応じた分類分けに限定されるものではなく、例えば、投稿時間や年代別など他の情報に基づいて分類分けしてもよい。
【００６５】
また、ランキング付けとは、コメントに対して賛成したユーザー数のランキングであり、本実施形態では、二次評価をしたユーザー数が多いコメントが上位となるように算出される。本実施形態においてこのコメントのランキングは、評価ポイント（pops）の数量に従って決定される。
【００６６】
この評価ポイント（pops）は、コメントやそれに対する賛否である一次評価又は二次評価の価値を定める数値であり、この商品やサービスと交換する際の価値基準を定める価値情報として機能する。すなわち、この評価ポイント（pops）は、貯めることによりそのポイント数に応じた価格の商品と交換できたり、所定の価格を有するサービスの提供を受けることができ、これによりコメントが書き込まれた商品やサービスの広告宣伝料の一部が、コメントを書き込んだユーザーにキックバック（還元）されることとなる。
【００６７】
なお、本実施形態における評価情報としては、このシステム内において流通される評価ポイント（pops）と、このシステム外においても流通可能な仮想通貨ポイント（globs）とに分類されており、これら評価ポイントと仮想通貨ポイントは所定のレートで相互に交換が可能となっている。商品やサービスの種類によっていずれのポイントを付与するかを選択することができる。
【００６８】
そして分析部２２６には、ランキング付けを算出する機能として、加減速度算出部２２６ａと、計時部２２６ｂと、評価更新部２２６ｃと、価値情報決定部２２６ｄとを備えている。
【００６９】
加減速度算出部２２６ａは、一次評価入力部（一次評価欄３２３ａ）及び二次評価入力部（二次評価欄３２３ｂ）に対して入力された一次評価及び二次評価に基づいて、加点単位及び減点単位を算出するモジュールである。ここで、加算単位とは、加点単位を算出する周期内において、各コメントに対して入力された総ユーザー数を示している。一方、減点単位とは、加点単位として算出したユーザー数を、コメント数で除算してその除算結果から減点単位を算出する周期あたりとで平均化したポイント数である。
【００７０】
計時部２２６ｂは、加点単位及び減点単位を算出する周期、及び各周期において算出した時点からの経過時間を測定するモジュールであり、例えば、サーバー内部の時刻情報を計時するシステム時計などから経過時間を測定する。この計時部２２６ｂで測定された経過時間は、評価更新部２２６ｃに入力される。ここでの周期とは、例えば２０分や１時間というように定期的であってもよく、ユーザーアクセスなどのイベント発生を契機にするなど不定期的なものであってもよい。さらに、加点単位や減点単位を算出する周期と、評価更新部２２６ｃでの更新周期とは一致していてもよく、異なるものであってもよい。
【００７１】
評価更新部２２６ｃは、計時部２２６ｂが測定した経過時間に基づいて、加減速度算出部２２６ａが算出した加点単位から減点単位を減算して、周期毎に一次評価すなわちコメントに対して、投票された二次評価による評価ポイント（pops）を更新するモジュールである。評価更新部２２６ｃでは、この経過時間を所定の閾値と比較し、閾値以上になった時点で、周期が到来したとして一次評価を更新する。
【００７２】
価値情報決定部２２６ｄは、各コメント（一次評価）に対して投票された二次評価の数量と、経過時間とによって、各コメントの評価ポイント（pops）を算出し、評価ポイントの総量が所定の値になった時点で、一次評価（コメント）や二次評価の投稿を終了させるモジュールである。
【００７３】
具体的には、上述した評価更新部２２６ｃが算出した各コメントに対する評価ポイント（pops）に基づいて、全コメントを評価ポイント数が高い順に並べ替え、上位のコメントから順次評価ポイントを加算していき、加算した総数が上限ポイント数に到達した時点で投稿を終了させる。この終了時刻は、コメント（一次評価）やそれに対する二次評価が短時間に集中して投稿された場合は早期に到来し、少量の二次評価が緩やかに投稿された場合には、評価ポイントは時間とともに減算されることから、終了時刻はなかなか到来しないことになる。また、この投稿終了時点を決定する評価ポイントの上限ポイント数は、コメント投稿の対象となっている当該商品やサービスの広告宣伝料によって定められる。
【００７４】
そして、この価値情報決定部２２６ｄによって確定されたコメント投稿、ランキング及び各コメントに付与された評価ポイントは、会員登録部２２５を通じてユーザー情報蓄積部２６に格納され、各コメントを投稿したユーザーに対して評価ポイント（pops）や仮想通貨ポイント（globs）、その他の還元方法により付与される。
【００７５】
上述の加減速度算出部２２６ａ、計時部２２６ｂ、及び評価更新部２２６ｃによるランキング付け算出の一例について具体的に説明する。ここで、計時部２２６ｂは、加点単位を算出する周期を１時間と設定し、減点単位を算出する周期を２０分と設定する。そして、例えば、ある遷移先に対して、直近の１時間において３人がコメントを入力し、さらに、１つ目のコメントには、１０人ユーザーが二次評価し、２つ目のコメントには６人のユーザー数が二次評価し、３つ目のコメントには、２人のユーザーが二次評価したものとする。
【００７６】
そして、計時部２２６ｂは経過時間を測定し、初めの１時間が経過すると、加減速度算出部２２６ａは、例えば、次式に示すように、加点単位として１時間あたりの総ユーザー数を加算してポイントとして算出する。
（式１）
加点単位(pops)＝10(pops)＋6(pops)＋2(pops)＝18(pops)  
本実施形態では、上式に示すように、３つのコメントに対する総ポイント数は１８となる。なお、各ユーザー数が周期内に付与されたか否かは、関連情報蓄積部２４内の入力時刻情報を参照して判断される。その後、加減速度算出部２２６ａは減点単位を算出する。本実施形態では、３つのコメントが入力され、減点単位を算出する周期は２０分と設定されているため、
（式２）
減点単位(pops/h)＝18(pops)÷3(コメント)＝6(pops/h)＝2(pops/20min)  
となる。
【００７７】
次いで、計時部２２６ｂは、周期後の経過時間を測定し、計時部２２６ｂが２０分が経過したことを検出すると、評価更新部２２６ｃは、加減速度算出部２２６ａが算出した加点単位から減点単位を減算する。
【００７８】
ここでは、１つ目のコメントは８ポイント（pops）となり、２つ目のコメントは、４ポイント（pops）となり、３つ目のコメントには０ポイント（pops）となる。そして、評価更新部２２６ｃは、減算した後のポイント数に基づいて、一次評価のランキングを更新する。なお、０ポイント（pops）以下となったコメントについては、ユーザー端末１へ評価情報として配信されないようにフラグが付与され、これにより関連情報配信部２２３は、以後フラグを有する評価ＩＤの評価情報を配信しないように制御する。
【００７９】
その後、評価更新部２２６ｃは、２０分毎に減算処理を行うとともに、加減速度算出部２２６ａは、１時間毎に各コメントに対してポイント（pops）を加算する処理を繰り返してランキングを変動させる。このように分析部２２６によって分析された各分析結果は、関連情報配信部２２３に入力され、関連情報配信部２２３によって、他の関連情報とともにユーザー端末１に配信される。
【００８０】
また、価値情報決定部２２６ｄでは、評価更新部２２６ｃによる算出結果に基づき、各コメント（一次評価）に対して投票された二次評価の数量と、経過時間とによって、各コメントの評価ポイント（pops）を算出し、評価ポイントの総量が所定の値になった時点で、一次評価（コメント）や二次評価の投稿を終了させるモジュールである。具体的には、上述した評価更新部２２６ｃが算出した各コメントに対する評価ポイント（pops）に基づいて、全コメントを評価ポイント数が高い順に並べ替え、上位のコメントから順次評価ポイントを加算していき、加算した総数が上限ポイント数に到達した時点で投稿を終了させる。
【００８１】
会員登録部２２５は、本システムを利用するユーザー又は広告会社の会員登録を受け付けるモジュールである。本実施形態において、会員登録部２２５は、ユーザー端末１からユーザーの各種情報を取得すると、ユーザーを特定するためのユーザーＩＤを付与してユーザー情報蓄積部２６に記録するとともに、広告サーバー３から各種情報を取得すると広告サーバー３の会社を特定する会社ＩＤを付加して広告情報蓄積部２５に記録する。
【００８２】
なお、本実施形態において、会員登録部２２５は、例えば、ソーシャルネットワークシステム、仮想店舗商品購買システム等の他社システムと連動して、当該システムからユーザーの各情報を取得してもよい。この場合には、他社システムのＩＤに本システム用のＩＤとを関連付けて蓄積する。
【００８３】
ユーザー情報蓄積部２６は、ユーザー端末１を所有するユーザーに関する情報を保持するデータベースであり、ユーザーを識別する識別番号に、ユーザー端末の電話番号、及びメールアドレスの他、ユーザーの年齢、性別、住所、国籍、及び評価を行った際に付与された仮想通貨ポイント情報が関連付けて記録されている。なお、仮想通貨ポイントは、仮想空間内での電子商取引で利用可能な仮想通貨であり、本システムを運用するサーバー側が管理し、例えば、二次評価された数の多いコメントを入力したユーザーに対して付与する。
【００８４】
広告情報蓄積部２５は、広告サーバー３から取得した広告情報等を蓄積するデータベースであり、広告サーバー３から取得した広告情報を蓄積するデータベースであり、本実施形態では、広告情報を提供する広告会社を識別する会社ＩＤに、広告内容を示すデータと、ユーザーによるコメント等に対して付与するポイントの上限値に関する情報と、決済情報とが関連付けて蓄積されている。このポイントの上限値は、広告主が宣伝広告料として支払った金額に応じて設定され、多く払えばポイントの上限値が高くなり、少なく払うとポイントの上限値は低くなる。
【００８５】
この宣伝広告料の支払いに基づいた上限ポイント数は、価値情報決定部２２６ｄに送信され、コメントの投稿終了時刻の算定に用いられる。なお、広告主が宣伝広告料は、仮想通貨ポイント（globs）で支払うことができ、所定のレートにて評価ポイント（pops）に換算されて価値情報決定部２２６ｄに送信される。
【００８６】
（関連情報配信方法）
次いで、通信ネットワーク上に分散配置されたＷｅｂページに含まれるリンクからの遷移先に関する情報を配信する関連情報配信方法について説明する。図６及び図７は、音響信号検出方法を示すフローチャート図である。関連情報配信サーバー２には、予め、ユーザー端末１及び広告サーバー３からの会員登録は完了されているものとする。
【００８７】
始めに、表示情報収集部２２１において、インターネット上を巡回して各Ｗｅｂサーバー４にアクセスし、各Ｗｅｂページ上に表示されるリンクの内容（Ｗｅｂページにおける所在アドレス、及びリンクの内容を示す遷移先のアドレス）及び座標位置に関する情報（Ｗｅｂページ上におけるリンクの座標位置）である表示情報を自動的に収集する。そして、表示情報を収集すると、表示情報収集部２２１は、記事ＩＤを付加して、表示情報を表示情報蓄積部２３に蓄積する（Ｓ１０１及びＳ１０２）。
【００８８】
表示情報を表示情報蓄積部２３に蓄積すると、制御部２２は、遷移先に対する評価情報を蓄積するテーブルデータを記事ＩＤと関連付けて関連情報蓄積部２４内に生成する。なお、ここで生成されたテーブルデータは、現時点で一次評価情報及び二次評価情報は記録されていないデータとなる。
【００８９】
次いで、ユーザー端末１ａにおいて、ブラウザ部１２２を起動させた状態で、Ｗｅｂサーバー４にアクセスすると（Ｓ１０３）、Ｗｅｂサーバー４は、そのアクセス信号を受信して（Ｓ１０４）、要求されたＷｅｂページを配信する（Ｓ１０５）。
【００９０】
ユーザー端末１においてＷｅｂページを受信すると、ブラウザ部１２２はそのＷｅｂページを表示部１３ａ上に表示させて、Ｗｅｂページを閲覧可能とするとともに、閲覧に係るＷｅｂページに含まれる表示情報であるリンク部分を選択可能に表示する（Ｓ１０６）。その後、ユーザーがマウス１６ａを操作して（Ｓ１０７）、画面上のマウスポインタ３０１を移動させる（Ｓ１０８）。この際、ブラウザ部１２２は、Ｗｅｂページ上のマウスポインタ３０１の位置を監視し、マウスポインタ３０１が所定のリンク部分３１１〜３１３のいずれかの上に重ね合わされるように位置したか否かを判断する（Ｓ１０９）。マウスポインタ３０１がリンク部分３１１〜３１３上のいずれにも位置していない場合には（Ｓ１０９における“Ｎ”）、マウスポインタ３０１の位置を監視し続ける。
【００９１】
一方、マウスポインタ３０１がリンク３１１〜３１３上のいずれかに位置すると（Ｓ１０９における“Ｙ”）、ブラウザ部１２２は、それをイベント発生として検出する。このイベント発生されると、ブラウザ部１２２と連動して関連情報表示部１２１は、関連情報配信サーバー２に対して、ブラウザ部１２２に表示されている表示情報（遷移先）に対応した関連情報を要求する関連情報要求信号を送信する（Ｓ１１０）。この関連情報要求信号は、データ要求部１７において、現在表示されているＷｅｂページのアドレス情報と、選択されたリンクの座標位置とが付加されて関連情報配信サーバー２へ送信される。
【００９２】
関連情報配信サーバー２の操作信号取得部２２２は、関連情報要求信号を取得すると（Ｓ１１１）、その信号が関連情報配信部２２３に入力される。関連情報配信部２２３では、Ｗｅｂページのアドレス情報と、選択されたリンクの座標位置とに基づいて、表示情報蓄積部２３を参照して当該選択されているリンクに関する記事ＩＤを特定し、その記事ＩＤに基づいて、関連情報蓄積部２４内から評価情報を検索する（Ｓ１１２）。ここで関連情報蓄積部２４内のテーブルデータには、評価情報は記録されていないため、関連情報配信部２２３は、遷移先のアドレス情報を記事ＩＤとともに配信する（Ｓ１１３）。なお、この際、広告情報を併せて送信してもよい。
【００９３】
ユーザー端末１では、関連情報を取得すると（Ｓ１１４）、関連情報表示部１２１は、ブラウザ部１２２における選択操作と連動して、Ｗｅｂページの所定領域に関連情報画面３２０を表示させる。この際、関連情報画面３２０の評価情報欄３２３や分析結果表示欄３２１には、評価情報や分析結果の情報がないまま画面上に表示される（Ｓ１１５）。
【００９４】
その後、ユーザーが、キーボード等でコメント入力欄３２４ａ内に関連情報に係る遷移先に関するコメント（評価）を入力して登録アイコンを押下すると（Ｓ１１６）、関連情報表示部１２１は、コメント情報を一次評価情報として記事ＩＤとユーザーＩＤとともに関連情報配信サーバー２に送信する（Ｓ１１７）。なお、この際、ユーザー属性入力画面３２４ｃにおいて、性別や国籍などの情報が入力されているものとする。
【００９５】
一次評価情報を取得すると操作信号取得部２２２は、記事ＩＤに基づいて関連情報蓄積部２４内の一次評価情報内にユーザーＩＤと一次評価情報のコメント内容とを蓄積する（Ｓ１１８）。これにより、関連情報取得部２２４は、表示情報収集部２２１が収集した表示情報と、当該表示情報に基づいて関連情報取得部２２４が取得した評価情報とが記事ＩＤに基づいて関連付けられて蓄積される。なお、関連情報取得部２２４では、一次評価情報を取得した時刻情報についても併せて蓄積する。
【００９６】
その後、図７に示すように、他者が所持するユーザー端末１ｂにおいて、Ｗｅｂサーバー４からＷｅｂページを取得するとともに、このＷｅｂパージに含まれているリンクの遷移先に関する関連情報を関連情報配信サーバー２に要求する操作が行われる。なお、ユーザー端末１ｂにおけるこれらの処理は、上記ステップＳ１０３〜ステップＳ１１１と同様であるため、説明は省略する。
【００９７】
関連情報配信サーバー２の操作信号取得部２２２にその要求信号が入力されると、その信号は、関連情報配信部２２３に入力される。関連情報配信部２２３では、Ｗｅｂページのアドレス情報と、選択されたリンクの座標位置とに基づいて、表示情報蓄積部２３を参照して当該選択されているリンクに関する記事ＩＤを特定し、その記事ＩＤに基づいて、関連情報蓄積部２４内から評価情報を検索する（Ｓ２０１）。
【００９８】
ここで、関連情報蓄積部２４内のテーブルデータには、ユーザー端末１ａから入力された一次評価のみ記録されているため、関連情報配信部２２３は、ユーザー情報（例えば、ユーザー情報蓄積部２６内の氏名（アカウント名）とコメント情報と、評価ＩＤを抽出して記事ＩＤとともに配信する（Ｓ２０２）。なお、この際、遷移先のアドレス情報と、広告情報についても合わせて配信する。
【００９９】
ユーザー端末１では、関連情報を取得すると（Ｓ２０３）、関連情報表示部１２１が、ブラウザ部１２２における選択操作と連動してＷｅｂページに関連情報画面３２０を表示させる（Ｓ２０４）。この際、関連情報画面３２０の評価情報欄３２３には、ユーザー端末１ａを所持する他者が入力したコメントが一次評価欄３２３ａに表示される。なお、分析結果表示欄３２１には、評価情報や分析結果の情報がないまま画面上に表示される。
【０１００】
その後、ユーザーがマウス１６ａを操作して、コメント部分を選択した状態でポジティブアイコン３２４ｂを押下すると（Ｓ２０５）、関連情報表示部１２１は、他者が入力したコメントに対し、賛成を示す二次評価が、記事ＩＤと、評価ＩＤと、ユーザー端末１ｂを識別するユーザーＩＤとともに関連情報配信サーバー２に送信する（Ｓ２０６）。
【０１０１】
二次評価情報を取得すると、関連情報取得部２２４は、記事ＩＤ及び評価ＩＤに基づいて関連情報蓄積部２４内の二次評価情報内にユーザーＩＤと入力時刻情報を入力する（Ｓ２０７）。このように遷移先に対する一次評価情報及び二次評価情報が関連情報蓄積部２４に蓄積される。そして、ここでは、他のユーザー端末からも二次評価情報が入力されて関連情報蓄積部２４には、一次評価情報に対する二次評価が複数記録されたとする。
【０１０２】
評価情報が入力されると、分析部２２６では、所定の周期で関連情報蓄積部２４に蓄積されている関連情報を集計して分析する（Ｓ２０８）。具体的に、評価情報が蓄積されると分析部２２６は、入力される毎に（１）評価情報の集計、（２）分類分けの算出を実行する。具体的に、分析部２２６は、評価情報の集計として、関連情報蓄積部２４を参照し、評価ＩＤ毎にコメント数や、二次評価を行ったユーザー数を加算して集計する。また、分析部２２６は、分類分けの算出として、関連情報蓄積部２４内の一次評価情報又は二次評価情報内に含まれているユーザーＩＤに基づいて、ユーザー情報蓄積部２６を参照してユーザーの性別や国籍を特定するとともに、評価ＩＤ毎に各属性の割合を算出する。
【０１０３】
さらに、分析部２２６には、一定の周期毎に、（３）一次評価のランキングを評価情報の集計結果として算出する。具体的に、計時部２２６ｂは、先ず、加点単位及び減点単位を算出する周期を測定する（Ｓ２０９）。ここで、加点単位及び減点単位を算出する周期が検出されるまで測定し（Ｓ２０９における“Ｎ”）、周期が検出されると（Ｓ２０９における“Ｙ）、その周期に応じて、加減速度算出部２２６ａは、ユーザー端末１側で入力された一次評価及び二次評価に基づいて、加点単位及び減点単位を算出する（Ｓ２１０）。
【０１０４】
次いで、計時部２２６ｂは、各周期において算出した時点からの経過時間を測定して、評価を更新する時刻が到来するのを監視する（Ｓ２１１における“Ｎ”）。更新時刻が到来していなければ、上記ステップＳ２０７〜Ｓ２１０を繰り返し、その後経過時間が過ぎたことを検出すると（Ｓ２１１における“Ｙ”）、測定した経過時間に基づいて、算出した加点単位から減点単位を減算して、周期毎に一次評価を更新する（Ｓ２１２）。その後、計時部２２６ｂは、評価ポイントの総数が上限ポイント数に到達したか否かを判断し（Ｓ２１３）、到達してないと判断した場合には（Ｓ２１３における“Ｎ”）、再度、上記ステップＳ２０７〜Ｓ２１２を繰り返す。
【０１０５】
一方、ステップＳ２１３において、上限ポイントに到達したと判断した場合（Ｓ２１３における“Ｙ”）には、一次評価及び二次評価の投稿を終了させ、ユーザーに付与する評価ポイント数を確定させる（Ｓ２１４）。具体的には、価値情報決定部２２６ｄが、各コメント（一次評価）に対して投票された二次評価の数量と、経過時間とによって、各コメントの評価ポイント（pops）を算出し、評価ポイントの総量が所定の値になった時点で、一次評価（コメント）や二次評価の投稿を終了させる。
【０１０６】
詳述すると、上述した評価更新部２２６ｃが算出した各コメントに対する評価ポイント（pops）に基づいて、全コメントを評価ポイント数が高い順に並べ替え、上位のコメントから順次評価ポイントを加算していき、加算した総数が上限ポイント数に到達した時点で投稿を終了させる。なお、この投稿終了時点を決定する評価ポイントの上限ポイント数は、コメント投稿の対象となっている当該商品やサービスの広告宣伝料によって定められる。
【０１０７】
そして、この価値情報決定部２２６ｄによって確定されたコメント投稿、ランキング及び各コメントに付与された評価ポイントは、会員登録部２２５を通じてユーザー情報蓄積部２６に格納され、各コメントを投稿したユーザーに対して評価ポイント（pops）や仮想通貨ポイント（globs）、その他の還元方法により付与される。
【０１０８】
その後、他のユーザー端末１ｃから上記ステップＳ１０３〜ステップＳ１１１と同様な処理によって、関連情報要求信号が関連情報配信サーバー２に送信されると、関連情報配信部２２３では、Ｗｅｂページのアドレス情報と、選択されたリンクの座標位置とに基づいて、表示情報蓄積部２３を参照して当該選択されているリンクに関する記事ＩＤを特定し、その記事ＩＤに基づいて、関連情報蓄積部２４内から評価情報を検索する（Ｓ２０１）。
【０１０９】
ここで、関連情報蓄積部２４内のテーブルデータには、ユーザー端末１ａから入力された一次評価及び二次評価記録されているため、関連情報配信部２２３は、一次評価情報、二次評価情報とともに、分析部２２６によって分析された分析結果（更新された後のコメント数、二次評価をしたユーザー数、分類分け、及びランキング付け等）を評価ＩＤ及び記事ＩＤとともに配信する（Ｓ３１０）。
【０１１０】
ユーザー端末１では、関連情報を取得すると、関連情報表示部１２１は、ブラウザ部１２２における選択操作と連動して、Ｗｅｂページに関連情報画面３２０を表示させる（Ｓ３０２）。この際、関連情報画面３２０の評価情報欄３２３の一次評価欄３２３ａには、ユーザー端末１ａを所持する他者が入力したコメントが表示されるとともに、二次評価欄３２３ｂには、二次評価をした者の数を示すユーザー数が表示される。さらに、この評価情報欄３２３は、更新後のランキングに入れ替えられて表示される。また、分析結果表示欄３２１には、分類分けの結果が表示される。
【０１１１】
（関連情報配信プログラム）
上述した本実施形態係る情報処理端末及び関連情報配信方法は、所定の言語で記述されたプログラムをコンピューター７１〜７４上で実行することにより実現することができる。すなわち、図８に示すように、このプログラムを携帯情報端末（ＰＤＡ）に携帯電話・通信機能を統合した携帯端末機７１、クライアント側が使用するパーソナルコンピュータ７２、ネットワーク上に配置されてクライアント側にデータや機能を提供するサーバー装置７３、又はゲーム装置などの専用装置７４、又はＩＣチップ８６にインストールし、ＣＰＵ上で実行することにより、上述した各機能を有するシステムを容易に構築することができる。このプログラムは、例えば、通信回線を通じて配布することが可能であり、またスタンドアローンの計算機上で動作するパッケージアプリケーションとして譲渡することができる。
【０１１２】
そして、このようなプログラムは、パーソナルコンピュータで読み取り可能な記録媒体８１〜８５に記録することができる。具体的には、図８に示すような、フレキシブルディスク８３やカセットテープ８２等の磁気記録媒体、若しくはＣＤ−ＲＯＭやＤＶＤ−ＲＯＭ等の光ディスク８１の他、ＵＳＢメモリ８５やメモリカード８４など、種々の記録媒体に記録することができる。
【０１１３】
（作用・効果）
本実施形態によれば、遷移元のＷｅｂページを閲覧している時点で、ページ内のリンク先に関する評価を含む関連情報を得ることができ、遷移前に予め遷移先のＷｅｂページの価値判断をすることができ、適切な遷移先を選択することができ、無駄なページ遷移を回避することができる。また、遷移先の評価情報には、その遷移先に含まれるコンテンツに関する直接的な評価と、その評価に対する第三者による評価が含まれ、これらの評価を集計し分析した上で掲載することから、信頼性の高い評価情報を提供することができる。
【０１１４】
また、本実施形態において、評価情報入力部として、遷移先に関するコメントを一次評価として受け付けるコメント入力欄３２４ａと、他者が入力した一次評価に対して賛成を示す二次評価を受け付けるポジティブアイコン３２４ｂとを備え、分析部２２６は、関連情報の分析に際し、二次評価の集計結果に基づくランキング付けを、評価情報の集計結果として算出しているので、コンテンツ関する直接的な一次評価であるコメントを、その一次評価に対する第三者による二次評価によってランキング付けすることから、悪意のあるコメントなど、不適切な一次評価を淘汰することができ、より信頼性の高い情報を提供することができる。
【０１１５】
また、本実施形態において、分析部２２６は、入力された一次評価及び二次評価に基づいて、加点単位及び減点単位を算出する加減速度算出部２２６ａと、加点単位及び減点単位を算出する周期、及び各周期において算出した時点からの経過時間を測定する計時部２２６ｂと、計時部が測定した経過時間に基づいて、加減速度算出部が算出した加点単位から減点単位を減算して、周期毎に一次評価を更新する評価更新部２２６ｃとを備えているので、周期的に評価情報を改定することができるとともに、時間の経過とともに評価を変化させることができる。この結果、例えば、短時間にコメントやそれに対するレスポンスが集中しているような場合には、そのＷｅｂページやコメントの評価を高くし、一方で、長時間放置されているようなＷｅｂページやそのコメントの評価を下げるなど、時間経過を加味して、適正に評価することができる。
【０１１６】
また、本実施形態では、コメントや口コミなど、人が何らかの情報を得て発信されているものに対して、どのような情報を基に、どのような情報が発信されているかを構造化しているので、広告提供側にとっては、構造化された情報を基にして対象者を特定して、その対象に適切な広告を選択することができるため、宣伝効果の高い効率的な広告を行うことができる。また、例えば、二次評価が高いコメント入力者に対して、発言の対価として仮想通貨ポイントを付与するなどして、ユーザーに優位性を持たせることもできる。
【０１１７】
さらに、このような関連情報配信システムを用いることで、遷移先に対してコメントが入力可能であり、さらにそのコメントに対して賛同するかの評価が可能であるため、コメント入力者にとっては、世界で自分の発言が大衆派か少数派かを知りたいという欲求を満たすことができる。また、二次評価を行う者にとっては、世界で自分と相反する発言を否定したいという欲求を満たすことができる。さらに、関連情報画面３２０を閲覧する者にとっては、世界にある自分が知らない情報を提供してほしいという欲求を満たすことができる。
【０１１８】
また、ソーシャルネットワークシステムと連動することで、それぞれのユーザーは繋がりを持つことができるため、各ユーザーは、世界に自分と同じ思想・価値観を持つ仲間が欲しいという欲求や、その仲間と情報交換をしたいという欲求を満たすことができる。
【０１１９】
［変更例］
なお、上述した実施形態の説明は、本発明の一例である。このため、本発明は上述した実施形態に限定されることなく、本発明に係る技術的思想を逸脱しない範囲であれば、設計等に応じて種々の変更が可能である。以下に、本発明の変更例について説明する。
【０１２０】
（変更例１）
例えば、上述した二次評価は、一次評価であるコメントに対して賛成を示した者のみが入力する構成としたが、例えば、コメントに対して反対を示す者も入力可能としてもよい。この場合、関連情報画面３２０には、「ポジティブアイコン」及び「ネガティブアイコン」を表示させ、二次評価欄３２３ｂには、ポジティブアイコンを選択したユーザー数を示すポジティブ欄と、ネガティブアイコンを選択したユーザー数を示すネガティブ欄とを表示させる。
【０１２１】
さらに、関連情報蓄積部２４内の二次評価情報内には、ポジティブアイコンを選択した者のユーザーＩＤを記録するポジティブ項目と、ネガティブアイコンを選択した者のユーザーＩＤを記録するネガティブ項目とを別に設ける。
【０１２２】
このような構成とすることで、画面上の「ネガティブアイコン」が選択されると、記事ＩＤ及び評価ＩＤに基づいて、該当する関連情報蓄積部２４のテーブルデータが特定され、そのネガティブを入力したユーザーＩＤがネガティブ項目内に入力される。
【０１２３】
そして、分析部２２６において、ランキングを算出する場合には、例えば、ポジティブのユーザー数とネガティブのユーザー数との差分を算出して、ユーザー数の差が多い順に表示順を変更させてもよい。また、分析結果表示欄３２１に表示される円グラフには、賛成した者の割合のみを表示してもよく、また、反対した者との差分に応じた割合としてもよい。
【０１２４】
（変更例２）
さらに、実施形態では、「ポジティブアイコン」を押下することで、賛成か否かのみ評価させて、関連情報画面３２０には、その「ポジティブアイコン」を押下したユーザー数を表示させる構成としたが、例えば、５段階評価など、コメントを複数段階で採点する方式であってもよい。この場合、関連情報蓄積部２４内の二次評価情報内には、ポイント情報項目を設け、採点されたポイント数はポイント情報項目に記録される。そして、分析部２２６がこのポイントを集計することで、関連情報画面３２０の二次評価欄３２３ｂには、集計されたポイント数が表示されるようになっている。
【０１２５】
さらに、この場合、分析部２６におけるランキング付けの処理については、採点方式に応じて変数を変更することで、時間経過を加味して、適正にランキング付けされるように処理する。
【０１２６】
（その他の変更例）
また、上述した実施形態では、Ｗｅｂページの特定領域に関連情報画面３２０を表示させたが、例えば、ユーザー操作に基づいて、関連情報画面３２０を表示若しくは非表示に切り替えることも可能である。この場合、関連情報３２０を表示させるメニューボタンから表示を切り替えてもよく、また、メニューバーにマウスポインタを接近させたり、マウスをクリックすることで表示させてもよい。
【符号の説明】
【０１２７】
１（１ａ〜１ｃ）…ユーザー端末
２…関連情報配信サーバー
３…広告サーバー
４…Ｗｅｂサーバー
５…通信ネットワーク
１１…通信インターフェース
１２…アプリケーション実行部
１３…出力インターフェース
１３ａ…表示部
１４…出力データ生成部
１５…メモリ
１６…操作デバイスインターフェース
１６ａ…マウス
１７…データ要求部
２１…通信インターフェース
２２…制御部
２３…表示情報蓄積部
２４…関連情報蓄積部
２５…広告情報蓄積部
２６…ユーザー情報蓄積部
７１…携帯端末機
７２…パーソナルコンピュータ
７３…サーバー装置
７４…専用装置
８１…光ディスク
８２…カセットテープ
８３…フレキシブルディスク
８４…メモリカード
８５…ＵＳＢメモリ
８６…ＩＣチップ
１２１…関連情報表示部
１２２…ブラウザ部
２２１…表示情報収集部
２２２…操作信号取得部
２２３…関連情報配信部
２２４…関連情報取得部
２２５…会員登録部
２２６…分析部
２２６ａ…加減速度算出部
２２６ｂ…計時部
２２６ｃ…評価更新部
２２６ｄ…価値情報決定部
３０１…マウスポインタ
３１０…Ｗｅｂページ
３１１〜３１３…リンク
３２０…関連情報画面
３２１…分析結果表示欄
３２２…リンク情報表示画面
３２３…評価情報欄
３２３ａ…一次評価欄
３２３ｂ…二次評価欄
３２４…評価情報入力欄
３２４ａ…コメント入力欄
３２４ｂ…ポジティブアイコン
３２４ｃ…ユーザー属性入力画面
３２４ｅ…投稿アイコン
３２５…言語切替欄
【要約】
【課題】遷移元のＷｅｂページを閲覧している時点で、ページ内のリンク先に関する評価を含む関連情報を得て、遷移前に予め遷移先のＷｅｂページの価値判断を可能とする。
【解決手段】
情報端末のブラウザ部において、Ｗｅｂページを閲覧するとともに、閲覧に係るＷｅｂページに含まれるリンクの内容及び座標位置に関する表示情報を選択可能に表示させ、ブラウザ部１２２における選択操作と連動し、ブラウザ部１２２に表示されている表示情報に対応した関連情報を関連情報配信サーバー２から取得して、関連情報画面３２０に表示する。この際、関連情報画面３２０には、他者から入力された関連情報に係る遷移先に関する評価又は評価に対する評価情報が表示される。
【選択図】  図１【図１】
0005747214.tif 000002
【図２】
0005747214.tif 000003
【図３】
0005747214.tif 000004
【図５】
0005747214.tif 000005
【図６】
0005747214.tif 000006
【図７】
0005747214.tif 000007
【図８】
0005747214.tif 000008
【図４】
0005747214.tif 000009